(57)【要約】【課題】蓋本体の加工の手間を必要とせず、かつＩＣタグを設けていない既存のマンホール蓋を、ＩＣタグ付きのマンホール蓋に容易に変更できる。  【解決手段】マンホール蓋表面に、蓋開放用操作具を挿入するための操作用凹所が形成されており、操作具不使用時に操作用凹所内にカバー部材３が嵌着される。カバー部材３内にはその表面から所定の厚みを残した先端閉鎖の収納凹部３３が形成され、当該収納凹部３３の閉鎖端面３３ａに、マンホール識別情報を含む必要情報を保持し当該必要情報を離隔的に読み出し可能なＩＣタグ５が接合されて封入材３５で封入される。【選択図】        図３
2009127395.tif 000002
【特許請求の範囲】
【請求項１】
表面に蓋開放用操作具を挿入するための操作用凹所を形成するとともに、操作具不使用時に前記操作用凹所内に嵌着されるカバー部材を設けたマンホール蓋において、マンホール識別情報を含む必要情報を保持し当該必要情報を離隔的に読み出し可能な通信手段を前記カバー部材内に埋設したことを特徴とするマンホール蓋。
【請求項２】
前記通信手段はＩＣタグであり、前記カバー部材内にその表面から所定の厚みを残した先端閉鎖の収納凹部を形成して、前記収納凹部の閉鎖端面に前記ＩＣタグを接合し封入材で封入した請求項１に記載のマンホール蓋。
【発明の詳細な説明】
【技術分野】
【０００１】
本発明はマンホール蓋に関し、特に、ＩＣタグ等の通信手段を備えたマンホール蓋に関する。  
【背景技術】
【０００２】
マンホールの管理を行うために、当該マンホールの識別情報や位置情報、あるいはマンホール内の配管・配線情報等をマンホール蓋に設けたＩＣタグのメモリ内に記憶させ、これを必要に応じて読み出しあるいは書き込んでマンホールの管理作業を効率的に行うようにしたものが、例えば特許文献１に開示されている。
【特許文献１】特開２００７−１３５０７
【発明の開示】
【発明が解決しようとする課題】
【０００３】
ところで、上記文献に記載のマンホール蓋では、蓋本体の中央上面に設置穴を穿設してこの中にＩＣタグを固着し、その周囲に樹脂等の充填材を充填して上記設置穴を塞ぐ構造となっている。しかし、このような構造では、蓋本体に穴開け加工を施す必要があるため、ＩＣタグの設置に手間を要するとともに、既存のマンホール蓋には適用が困難であるという問題があった。
【０００４】
そこで、本発明はこのような課題を解決するもので、蓋本体の加工の手間を必要とせず、かつ通信手段を設けていない既存のマンホール蓋を、通信手段付きのマンホール蓋に容易に変更できるマンホール蓋を提供することを目的とする。
【課題を解決するための手段】
【０００５】
上記目的を達成するために、本発明では、表面に蓋開放用操作具（２）を挿入するための操作用凹所（１１）を形成するとともに、操作具不使用時に操作用凹所（１１）内に嵌着されるカバー部材（３）を設けたマンホール蓋（１）において、マンホール識別情報を含む必要情報を保持し当該必要情報を離隔的に読み出し可能な通信手段（５）をカバー部材（３）内に埋設したものである。
【０００６】
本発明においては、通信手段を設けたマンホール蓋のカバー部材に通信具を近づけることによって、当該通信手段に保持されたマンホール識別情報等の管理情報を読み出して、目的とするマンホールに関係する種々の作業を効率的に行うことができる。そして、通信手段をカバー部材内に埋設しているから、マンホール蓋の蓋本体には何ら加工を施す必要がなく、通信手段設置の手間を軽減することができる。また、通信手段を設けた新たなカバー部材を既存のカバー部材と交換するだけで、従来のマンホール蓋を通信手段付きのものに容易に変更することができる。
【０００７】
上記通信手段としてはＩＣタグ（５）を使用でき、この場合は、上記カバー部材（３）内にその表面から所定の厚みを残した先端閉鎖の収納凹部（３３）を形成して、当該収納凹部（３３）の閉鎖端面（３３ａ）にＩＣタグ（５）を接合し封入材（３５）で封入する構造とすることができる。
【０００８】
なお、上記カッコ内の符号は、後述する実施形態に記載の具体的手段との対応関係を示すものである。
【発明の効果】
【０００９】
以上のように、本発明のマンホール蓋によれば、通信手段を設置するのに蓋本体の加工の手間を必要としないとともに、通信手段を設けていない既存のマンホール蓋を、通信手段付きのマンホール蓋に容易に変更することができる。
【発明を実施するための最良の形態】
【００１０】
図１にはマンホール蓋１を開放する際の様子を示し、当該マンホール蓋１には径方向の対称位置に操作用凹所１１，１２が形成されている。そして、これら凹所１１，１２に図に示すように、適宜、蓋開放用操作具２の先端を挿入して、マンホール蓋１の旋回や持ち上げを行うことによってこれを開放する。凹所１１，１２は図２に示すように、一方の凹所１１が平面視で相対的に大きな長方形をなし、他方の凹所１２は引っ掛け用の架橋部１２１を中央に位置させてその両側に延びる相対的に小さな長方形となっている。各凹所１１，１２内には不使用時にはゴム製のカバー部材３，４が嵌着されてその内部空間を埋め、マンホール蓋１の蓋表面を面一にするとともに凹所１１，１２内への砂泥の侵入を防止している。
【００１１】
本実施形態では凹所１１内に嵌着される相対的に大きなカバー部材３を使用して、その中に通信手段としてのＩＣタグを埋設する。すなわち、カバー部材３は図３に示すように、上記凹所１１の空間形状に沿って略Ｌ字形に屈曲させられた一定厚のゴム体で、ゴム体中には、基端がゴム体底面３１に開口し、先端がゴム体頂面３２近くに至る先端閉鎖の円筒状収納凹部３３が形成されている。この場合、収納凹部３３の先端とカバー部材３の頂面３２の間には４〜５ｍｍの厚みのゴム層３４が残るようにしてある。このゴム層３４の厚みを薄くしすぎると耐久性が損なわれ、一方、厚くしすぎると後述するＩＣタグ通信具（リーダ／ライタ）との通信に障害を生じるからである。
【００１２】
上記収納凹部３３内にはＩＣタグ５が挿入されている。ＩＣタグ５は外径１５ｍｍ程度の、いわゆるコインタグを使用しており、これを接着剤で収納凹部３３先端の閉鎖端面３３ａに接合した後、収納凹部３３内に樹脂材３５を満たして封入する。上記ＩＣタグ５内には、マンホールの識別情報、当該マンホールの位置情報、マンホール内の配線・配管情報等の管理情報が記憶されている。なお、ＩＣタグ５の封入はゴム材によって行っても良い。
【００１３】
このようなＩＣタグ５を埋設したカバー部材は、蓋開放用操作具２を使用しない通常時にはマンホール蓋の操作用凹所内に嵌着されている。そこで、カバー部材３にＩＣタグ通信具を近づけて、当該ＩＣタグ５のメモリ内に記憶された、上記マンホール蓋１を覆着したマンホールの管理情報を読み出し、ないし当該管理情報を上記メモリ内に書き込んで、当該マンホールに関係する種々の作業を効率的に行うことができる。
【００１４】
このように、本実施形態によれば、ＩＣタグ５をカバー部材３内に埋設してこれをマンホール蓋１の操作用凹所１１内に装着するだけで、マンホール蓋１の蓋本体には何ら加工を施すことなくＩＣタグ５を設置することができ、ＩＣタグ設置の手間を軽減することができる。また、ＩＣタグ５を埋設した新たなカバー部材３を既存のカバー部材と交換するだけで、従来のマンホール蓋をＩＣタグつきのものに容易に変更することができる。
【図面の簡単な説明】
【００１５】
【図１】本発明を適用するマンホール蓋の一例を示す斜視図である。
【図２】本発明を適用するマンホール蓋の一例を示す要部拡大斜視図である。
【図３】ＩＣタグを設置したカバー部材の断面図である。
【符号の説明】
【００１６】
１…マンホール蓋、１１…操作用凹所、２…蓋開放用操作具、３…カバー部材、３３…収納凹部、３３ａ…閉鎖端面、３５…樹脂材（封入材）、５…ＩＣタグ（通信手段）。
【図１】
2009127395.tif 000003
【図２】
2009127395.tif 000004
【図３】
2009127395.tif 000005